(57)【要約】【課題】  通信カラオケの仕組みを使って、映画やアニメ等のアフレコを楽しみたい。【解決手段】  当該アフレコのセリフがカラオケにおける歌詞のように表示され、登場人物のセリフの進行に合わせて色が変わり、元の役者の抑揚等をピアノロール的に表示し、歌唱の採点もセリフのアフレコにふさわしい機能に置き換える。【選択図】図１
2017134326.tif 000002
【特許請求の範囲】
【請求項１】
ネットワークカラオケシステムにおいて、１ないし複数の人物が登場するコンテンツの、当該人物の音声のうち１の人物の音声を抜き、利用者が当該１の人物のセリフを当てるコンテンツであって、セリフがカラオケにおける歌詞のように表示され、当該人物のセリフの進行に合わせて色が変わる事を特徴とするネットワークカラオケシステム。
【請求項２】
請求項１記載のネットワークカラオケシステムにおいて、
コンテンツの開始からの時間を示すカウンタが表示され、
当該１の人物の次のセリフまで時間が空くとき、そのセリフ開始の時間と当該セリフの冒頭部を、テロップ表示することを特徴とするネットワークカラオケシステム。
【請求項３】
前記請求項１乃至２記載のネットワークカラオケシステムにおいて、オリジナルの役者の発声した音声をピッチ検出し、ピアノロール的な様式で画面に表示することを特徴とする請求項１乃至２記載のネットワークカラオケシステム。
【請求項４】
前記請求項３記載のネットワークカラオケシステムにおいて、前記ピアノロール的な表示は、コンテンツ映像に重ねて半透明に表示することを特徴とする請求項３記載のネットワークカラオケシステム。
【請求項５】
前記請求項１乃至４記載のネットワークカラオケシステムにおいて、
利用者の音声をピッチ検出した音程データと、オリジナルの役者の音声をピッチ検出した音程データとを比較して採点することを特徴とする請求項１乃至４記載のネットワークカラオケシステム。
【請求項６】
前記請求項５記載のネットワークカラオケシステムにおいて、ピッチ検出によるセリフの採点基準が歌唱用とは異なることを特徴とする請求項５記載のネットワークカラオケシステム。
【発明の詳細な説明】
【技術分野】
【０００１】
本発明は、楽曲に替えて映像コンテンツを再生し、歌唱を台詞に置き換えて再生できるカラオケシステムに関するものである。
【背景技術】
【０００２】
近年のカラオケは、単に楽曲を歌唱するだけのものにとどまらず、歌唱を補助する歌唱結果に採点機能が付くのはもはや常識であり、採点結果をもとにゲーム感覚で歌唱できるものまで出てきている。
【０００３】
また歌唱だけでなく映画等のコンテンツの視聴が可能なものもあり、楽曲の代わりにコンテンツを再生するものも登場している。
【０００４】
一方、アニメや洋画の声優の真似事をしたいと思う人達がアフレコを楽しみたいという需要は一定数あり、ＤＶＤ−ＲＯＭの特典ディスクとして、特定の人物の声が抜いてある用のＤＶＤ−ＲＯＭが添付される場合もある。この場合、利用者は、映像を見ながら発声するだけであり、自分の声がコンテンツと一体化して再生される訳ではないため、実際のアフレコとは異なる。
【０００５】
そこで、カラオケの楽曲再生機能を利用して、コンテンツの登場人物のアフレコに応用して楽しもうとする試みが各社から出願されている。
【先行技術文献】
【特許文献】
【０００６】
【特許文献１】特開平11-212438号公報
【特許文献２】特開2006-071711号公報
【発明の概要】
【０００７】
特許文献１は、モニターテレビの画面を見ながら、消された音声を発声し、美しい映像を見て音楽を聞きながら、楽しくかつ効果的に、また画面内の登場人物のつもりになれる臨場感をもって語学の練習を行うために、第１の音響チャネルＣＨ１及び第２の音響チャネルＣＨ２によって第１の音響信号と第２の音響信号を選択し、これら音響信号による各音声の少なくとも一方を消し、この消された音声についてミキサーＭＩＸ（Ａ）、（Ｂ）とマイクロホン付きスピーカを用いた信号処理によって効果的に発音練習できるようにしたものである。
特許文献２は、従来のカラオケシステムの機能を有効に活用し、映画やドラマなどの映像コンテンツをもって、見易い映像コンテンツの映像出力と、その音響出力と利用者の台詞音声をミキシング音声出力し、利用者自らが参加した臨場感ある映像と音響を体感できると共に、利用者に対して好適に台詞を表示でき、その登場人物の台詞の発声練習を効率良く行えるカラオケシステムの提供するために、
主表示手段と副表示手段とを備え、台詞のある登場人物が含まれた映像コンテンツを有し、利用者が所望する登場人物の台詞音声を消去して音響出力すると共に、その音響出力と利用者の台詞音声とをミキシングして音声出力するためのミキシング音声出力手段を備えたカラオケ演奏装置を主体とし、主表示手段には、字幕テロップを表示出力させずに映像コンテンツを映像出力し、副表示手段には、当該映像コンテンツの映像出力と同期させ、消去された台詞の字幕テロップを表示出力させるように制御するための出力制御手段を備えたカラオケシステムを構築した。
【発明が解決しようとする課題】
【０００８】
特許文献１は、外国語の会話において特定の音声を消して、その登場人物になって話に参加するようなイメージでカラオケを語学研修に役立てるというものであり、本発明の目的とは異なり、特定の文章を言語として正確に発音することを目的とするものである。
特許文献２は、映画やドラマの中で特定のセリフ音声を消去し、当該音声を利用者が作品の登場人物になり、他の登場人物とともに会話を楽しむものであるが、元の登場人物が「どのように」再現したかという情報はない。
【０００９】
カラオケで歌唱する場合、それが１人であっても複数の歌唱であっても、歌っている時間が大半であり、前奏や間奏、他の人の歌唱を待つ時間は一般に少ない。
しかし、ドラマ、映画などのコンテンツにおけるセリフにおいては、自分のセリフを当てる前に、他の登場人物のセリフを聞いて待っている時間が多いことが一般的であり、油断しているといつのまにか自分のセリフの出番が終わってしまうようなことにもなってしまう。
また、最近のカラオケシステムには採点機能があるが、セリフにも採点機能がほしいが、アフレコを楽しみたいという利用者は元の人物のセリフのタイミングや抑揚に近づけるような努力をすることが多く、そのため採点も「なりきり度」を採点評価の基準としたいところである。
【課題を解決するための手段】
【００１０】
上記の課題を解決するために、本発明の請求項１は、
ネットワークカラオケシステムにおいて、１ないし複数の人物が登場するコンテンツで、当該人物の音声のうち１の人物の音声を抜き、利用者が当該１の人物のセリフを当てるコンテンツであって、セリフがカラオケにおける歌詞のように表示され、当該人物のセリフの進行に合わせて色が変わる事を特徴とするネットワークカラオケシステムである。
【００１１】
また、本発明の請求項２は、
請求項１記載のネットワークカラオケシステムにおいて、
コンテンツの開始からの時間を示すカウンタが表示され、
当該１の人物の次のセリフまで時間が空くとき、そのセリフ開始時間と当該セリフの冒頭部を、テロップ表示することを特徴とするネットワークカラオケシステムである。
【００１２】
本発明の請求項３は、前記請求項２記載のネットワークカラオケシステムにおいて、オリジナルの役者の発声した音声をピッチ検出し、ピアノロール的な様式で画面に表示することを特徴とする請求項２記載のネットワークカラオケシステムである。これによりセリフだけが文字表示されるものに比べ、抑揚、発音のタイミングを認識することができる。
【００１３】
本発明の請求項４は、前記請求項３記載のネットワークカラオケシステムにおいて、前記ピアノロール的な表示は、コンテンツ映像に重ねて半透明に表示することを特徴とする請求項３記載のネットワークカラオケシステムである。
【００１４】
本発明の請求項５は、前記請求項１記載のネットワークカラオケシステムにおいて、
利用者の音声をピッチ検出した音程データと、オリジナルの演者の音声をピッチ検出した音程データとを比較して採点することを特徴とする請求項１記載のネットワークカラオケシステムである。
【００１５】
本発明の請求項６は、
前記請求項３記載のネットワークカラオケシステムにおいて、ピッチ検出によるセリフの採点基準が歌唱用とは異なることを特徴とする請求項３記載のネットワークカラオケシステムである。
具体的には、歌唱の採点で重要であった絶対音程に関しては厳密な評価はせず、音程の相対的な変化（抑揚など）を重視する採点を行うものとする。
【発明の効果】
【００１６】
これにより、カラオケシステムによるコンテンツのアフレコにおいて、歌唱を単純にセリフに置き換えた場合の不都合を解消し、オリジナルの演者との抑揚の近似性を基準として、歌唱と同じような感覚で採点機能を実現できる。
【図面の簡単な説明】
【００１７】
【図１】本発明の表示イメージを示した説明図である。
【発明を実施するための形態】
【００１８】
本発明の実施イメージを図１に示す。
通常、カラオケのモニタ画面２には、コンテンツ開始からの経過時間３が表示されている。
ここで、利用者が特定の登場人物Ａの役を担当するとする。
現時点でコンテンツ開始からの経過時間３は、「００：００：０６：１２」を示している。図１の例では、登場人物Ａの次のセリフとセリフ開始時間４が「００：０８」のように表示される。
【産業上の利用可能性】
【００１９】
これにより、カラオケ端末装置の機能を利用して簡易に映画やドラマのアフレコを楽しむことができ、カラオケ機器の利用範囲が広がる。
【符号の説明】
【００２０】
１・・・カラオケ端末装置
２・・・カラオケモニタ
３・・・経過時間
４・・・セリフ開始時間
【図１】
2017134326.tif 000003